(57)【特許請求の範囲】
【請求項１】
合成樹脂製の押子が前方へスライド操作されることで筆記部を軸筒前端から突出し、同押子を付勢部材の付勢力によって後方へスライドさせることで前記筆記部を軸筒内へ没入するようにした出没式筆記具において、
軸筒の後端部には、後方へスライドした際の前記押子を当接させるように、開口部を前方へ向けるとともに底部を後方へ向けた有底筒状の被当接部材が設けられ、
この被当接部材は、少なくとも前記押子により当接される部分が金属材料によって形成され、軸筒後端部に対し前後方向へ不動であって、且つ軸筒後端部を密閉するようにして固定されていることを特徴とする出没式筆記具。
【請求項２】
前記被当接部材は、その周壁部分の略全域が金属材料によって形成されていることを特徴とする請求項１記載の出没式筆記具。
【請求項３】
前記被当接部材は、前記押子に当接されるように軸筒後端側に環状に装着された環状部材と、該環状部材を後方から押圧するようにして軸筒後端側に螺合された有底筒状部とを具備してなることを特徴とする請求項１又は２記載の出没式筆記具。
【請求項４】
前記金属材料が真鍮材であることを特徴とする請求項１乃至３何れか１項記載の出没式筆記具。
【請求項５】
前記押子の後端側に後方向きの突起を設け、この突起の突端を前記被当接部材に当接するようにしたことを特徴とする請求項１乃至４何れか１項記載の出没式筆記具。
【発明の詳細な説明】
【技術分野】
【０００１】
本発明は、押子を進退させる操作により、ボールペンチップやシャープペンシル先端部等の筆記先端部を軸筒の先端から出没させるようにした出没式筆記具に関するものである。
【背景技術】
【０００２】
従来、この種の発明には、例えば特許文献１に記載された発明のように、付勢部材（スプリング７１）により後方へ付勢されている押子（３０）が前方へスライド操作されることで、筆記先端部（チップ２２）を突出状態にし、同押子（３０）を前記付勢部材（スプリング７１）の付勢力によって後方へスライドさせることで、前記筆記先端部（チップ２２）を没入状態にするようにした多色の出没式筆記具がある。
このような出没式筆記具によれば、後方へ付勢されている押子（３０）を、所定量スライドさせる構造であるため、後方へスライドした押子（３０）が、所定の被当接部に当接した際に、当接音を発生する。なお、前記被当接部は、特許文献１には説明が省略されているが、一般的な多色出没式筆記具の構造によれば、各押子（３０）における操作突部（３２）の前端側部分を当接させるように、軸筒の内面に形成されていた。
【０００３】
上記のような押子による当接音は、使用者自身が作動状態（筆記先端部の出没状態）を聴覚的に確認できるという有用性があり、必ずしも不快なものではない。しかしながら、従来の多色筆記具の作動音は、比較的周波数の高い高音である場合が多く、耳障りに感じられてしまうことが多々あるのが現状である。
【特許文献１】特開２００３−６３１８６号公報
【発明の開示】
【発明が解決しようとする課題】
【０００４】
本発明は上記従来事情に鑑みてなされたものであり、その課題とする処は、押子が後退した際の作動音を、耳障りに感じることの少ない重厚な音質にすることができる出没式筆記具を提供することにある。
【課題を解決するための手段】
【０００５】
上記課題を解決するために本発明に係る技術的手段は、合成樹脂製の押子が前方へスライド操作されることで筆記部を軸筒前端から突出し、同押子を付勢部材の付勢力によって後方へスライドさせることで前記筆記部を軸筒内へ没入するようにした出没式筆記具において、軸筒の後端部には、後方へスライドした際の前記押子を当接させるように、開口部を前方へ向けるとともに底部を後方へ向けた有底筒状の被当接部材が設けられ、この被当接部材は、少なくとも前記押子により当接される部分が金属材料によって形成され、軸筒後端部に対し前後方向へ不動であって、且つ軸筒後端部を密閉するようにして固定されていることを特徴とする。
【０００６】
更なる技術的手段では、前記被当接部材は、その周壁部分の略全域が金属材料によって形成されていることを特徴とする。
【０００７】
更なる技術的手段では、前記被当接部材は、前記押子に当接されるように軸筒後端側に環状に装着された環状部材と、該環状部材を後方から押圧するようにして軸筒後端側に螺合された有底筒状部とを具備してなることを特徴とする。
【０００８】
更なる技術的手段では、前記金属材料が真鍮材であることを特徴とする。
【０００９】
更なる技術的手段では、前記押子の後端側に後方向きの突起を設け、この突起の突端を前記被当接部材に当接するようにしたことを特徴とする。
【発明の効果】
【００１０】
本発明は、以上説明したように構成されているので、以下に記載されるような作用効果を奏する。
押子が付勢部材の付勢力によって後方へスライドし被当接部材に当接した際、この当接音を、耳障りに感じることの少ない重厚な音質とすることができる。
【発明を実施するための最良の形態】
【００１１】
以下、本発明の実施の形態を図面に基づいて説明する。
この出没式筆記具Ａは、先端口１１からボールペン用リフィール２１の筆記部２１ａやシャープペンシル用リフィール２２の筆記部２２ａを出没させる軸筒１０と、この軸筒１０の後端側に配設された複数の押子３０及び開閉操作機能付クリップ４０と、後方へスライドした際の押子３０又は開閉操作機能付クリップ４０のクリップ支持体４１を当接させるための被当接部材６０とを備え、選択された一つの押子３０または開閉操作機能付クリップ４０を、軸方向へのスライド操作により、前進位置と後退位置との間で移動させる。
【００１２】
なお、上記前進位置とは、押子３０又は開閉操作機能付クリップ４０が、軸方向への前進スライドにより筆記部２１ａ（又は２２ａ）を先端口１１から突出させて、軸筒１０内に係止された状態である。
また、上記後退位置とは、押子３０又は開閉操作機能付クリップ４０が、軸方向への後退スライドにより筆記部２１ａ（又は２２ａ）を先端口１１内へ没入させるとともに、押子３０の後端部または開閉操作機能付クリップ４０におけるクリップ支持体４１の後端部を、後述する被当接部材６０に当接させて静止した状態である。
【００１３】
軸筒１０は、当該出没式筆記具Ａの略全長にわたる長尺筒状の部材であり、前端側を先細状に形成するとともにその最前端部に筆記部２１ａ（又は２２ａ）を出没させる先端口１１を有する。また、この軸筒１０の後端側周壁には、押子３０及び開閉操作機能付クリップ４０を軸方向へ案内する案内孔１２，１３を複数形成している。なお、この軸筒１０は、一体の筒状部材から構成してもよいし、複数の筒状部材を連結した構成であってもよい。
図示例によれば、案内孔１２は、ボールペン用リフィール２１に対応する押子３０を進退可能に係合させるための孔であり、案内孔１３は開閉操作機能付クリップ４０を進退可能に係合させるための孔である。これら案内孔１２，１３の各々は、軸方向へ延びる平面視略長尺矩形状に形成されている。
【００１４】
また、軸筒１０の内周面には、案内孔１２又は１３の近傍に位置して、押子３０、又は開閉操作機能付クリップ４０のクリップ支持体４１を係合させるための係止部１４が形成されている。
各係止部１４は、押子３０又は開閉操作機能付クリップ４０が前進位置にて軸筒軸心方向へ沈み込んだ際、この押子３０又はクリップ支持体４１の後端部を係止させるように、軸筒１０の内周面に段部状に形成されている。この係止部１４は、案内孔１２又は１３を間に挟むようにして一対に配設されている。
【００１５】
また、ボールペン用リフィール２１は、インクを充填したインクタンク２１ｂと、該インクタンク２１ｂの前端部に接続された筆記部２１ａ（ボールペンチップ）とを備え、筆記部２１ａ内の転写ボールの転動によりインクタンク２１ｂ内のインクを吐出するように構成してある。
なお、図示を省略しているが、このボールペン用リフィール２１は、例えば黒色や赤色、青色等、異なるインク色のものが複数用いられる。そして、これら複数のボールペン用リフィール２１は、軸筒１０後端側に断面放射状に配設される。
【００１６】
また、シャープペンシル用リフィール２２は、その前端部に筆記部２１ａを備え、後端部を、開閉操作機能付クリップ４０のクリップ支持体４１に接続している。
このシャープペンシル用リフィール２２は、開閉操作機能付クリップ４０が前進位置にてノック操作された際に、筆記部２１ａから鉛芯を繰り出すように構成してある。
【００１７】
上記ボールペン用リフィール２１とシャープペンシル用リフィール２２は、それぞれ付勢部材５１ａと付勢部材５１ｂによって後方へ付勢されている。
付勢部材５１ａは、ボールペン用リフィール２１を後方へ弾発するコイルスプリングであり、図４（ａ）に示すように、その伸縮方向の両端側に端部座巻部５１ａ１，５１ａ１を有するとともに、これら端部座巻部５１ａ１，５１ａ１間の略中央に中間座巻部５１ａ２を有する。
前記座巻部５１ａ１，５１ａ１，５１ａ２の各々は、付勢部材５１ａを構成する巻き線部分を、数巻き（例えば２〜８巻き）程度、前後に略密着させた部分である。
【００１８】
また、付勢部材５１ｂは、シャープペンシル用リフィール２２を後方へ弾発するコイルスプリングであり、前記したボールペン用リフィール２１用の付勢部材５１ａから中間座巻部５１ａ２を省いた形状を呈し、その伸縮方向の両端側に端部座巻部５１ｂ１，５１ｂ１を有する（図４（ｂ）参照）。この付勢部材５１ｂは、ボールペン用リフィール２１用の前記付勢部材５１ａよりも、弾発力（具体的にはセット荷重）が強く設定されている。
すなわち、押子３０よりも開閉操作機能付クリップ４０の重量が大きいため、前記のようにシャープペンシル用リフィール２２の付勢部材５１ｂの弾発力を強めに設定して、押子３０と開閉操作機能付クリップ４０との作動性のバランスを良好にしている。
【００１９】
また、各ボールペン用リフィール２１の後端に接続された押子３０は、軸筒１０に対し進退可能に設けられる押子本体３１と、筆記部２１ａの筆記色に対応する色を有する色識別部３２とを具備してなる。
【００２０】
押子本体３１は、案内孔１２に係合して進退し、前進位置で軸筒求心方向へ沈み込んで、軸筒１０内周面における案内孔１２両側の係止部１４，１４に係止され、その係止状態が他の押子３０（又はクリップ支持体４１）との干渉により解除されるように形成される。
この押子本体３１の材質は、合成樹脂材料であればよく、本実施の形態の好ましい一例によれば、ポリアセタール（ＰＯＭ）が用いられている。
この押子本体３１の後端側には、軸筒１０外へ露出するように隆起した操作部３１ａが設けられる。更に、この押子本体３１の最後端部には、後述する被当接部材６０に当接されるように、後方向きの突起３１ｂが設けられる。
【００２１】
この突起３１ｂは、押子３０後端側の他の部分に比して著しく断面積が縮小された突起であり、被当接部材６０に当接した際の当接面積が小さくなるようにしている。
なお、この突起３１ｂの先端を角状に形成し、前記当接面積を更に小さくすることも可能であるが、本実施の形態の好ましい一例によれば、その突端面の比較的面積の小さな平坦面３１ｂ１（図２参照）とすることで、この突起３１ｂが経たりや磨耗等により変形してしまうのを防いでいる。
【００２２】
また、開閉操作機能付クリップ４０は、前述した押子３０と同様にして進退する押子の一種である。
詳細に説明すれば、この開閉操作機能付クリップ４０は、前記押子３０と略同様に軸筒１０に対し進退するように設けられたクリップ支持体４１と、該クリップ支持体４１に対し揺動可能に支持された中間支持部材４２と、該中間支持部材４２における揺動支点部よりも後方側を軸筒遠心方向へ付勢する付勢部材４３（図示例によればコイルスプリング）と、中間支持部材４２に対し一体的に嵌合された金属製のクリップ部４４とを具備し、クリップ部４４の後端部が軸筒求心方向へ押圧された際に、クリップ部４４の前端側を軸筒１０外周面から離間させ、その押圧力が解除された際には、前記付勢部材４３の付勢力によって元の状態（図１に示す状態）に復帰するようになっている。
【００２３】
クリップ支持体４１の材質は、押子本体３１同様に合成樹脂材料であればよく、本実施の形態の一例によれば、ポリアセタール（ＰＯＭ）が用いられている。
クリップ支持体４１の最後端部には、上記押子３０における突起３１ｂと略同様に、他の部分に比して著しく断面積が縮小された突起４１ａを有する。
【００２４】
なお、前述した押子本体３１は、後退位置で後方向きに当接される箇所が前記突起３１ｂのみとなるように形成されている。同様にクリップ支持体４１も、後退位置で後方向きに当接される箇所が突起４１ａのみとなるように形成されている。
【００２５】
また、被当接部材６０は、後方へスライドした際の前記押子３０（又は開閉操作機能付クリップ４０）を当接させるように、開口部を前方へ向けるとともに底部を後方へ向けた有底筒状に形成され、前記押子３０（又は開閉操作機能付クリップ４０）により当接される部分が金属材料によって形成され、軸筒１０後端部に対し前後方向へ不動であって、且つ軸筒１０後端部を密閉するように固定されている
【００２６】
詳細に説明すれば、この被当接部材６０は、前記押子３０（又はクリップ支持体４１）に当接されるように軸筒１０後端側に環状に装着された環状部材６１と、該環状部材６１を後方から押圧するようにして軸筒後端側に螺合された有底筒状部６２とを具備してなり、更に前記有底筒状部６２を、筒部６２ａと底部６２ｂとから構成している（図２及び３参照）。
【００２７】
環状部材６１は、金属材料を環状に加工してなり、本実施の形態の好ましい一例によれば、比重８．５の真鍮材料が用いられる。
この環状部材６１は、軸筒１０後端側の段状部分に環状に装着され、後述する有底筒状部６２の筒部６２ａに押圧されることで、前後方向および周方向へ不動となるように固定される。
【００２８】
筒部６２ａは、前記環状部材６１と同材質の金属材料を、後方へ向かって若干外径が縮径した略筒状に加工され、その内周面には、前後方向の略全長へわたるように雌螺子部６２ａ１が形成される。そして、この雌螺子部６２ａ１の前端側は軸筒１０の後端部に螺合され、同雌螺子部６２ａ１の後端部に対し後述する底部６２ｂが螺合されるようになっている。
【００２９】
底部６２ｂは、筒部６２ａの後端部を密閉する円形蓋状に形成され、前部側外周面に形成された雄螺子部６２ｂ１を、筒部６２ａ後端側内周面に螺合させることで、筒部６２ａの後端部を密閉する。
この底部６２ｂは、本実施の形態の好ましい一例によれば、合成樹脂材料（詳細にはメタクリル酸メチル樹脂（略称PMMA））としているが、上記環状部材６１や筒部６２ａ同様の真鍮材とすることも可能である。
また、底部６２ｂの他例としては、圧入や嵌合によって筒部６２ａの後端部に接続される構成であってもよい。
【００３０】
また、軸筒１０の後端側であって、且つ被当接部材６０の内部側に位置する箇所には、略円柱状の消しゴム５３が装着されている。この消しゴム５３は、金属製の筒状スペーサ５４を介して、軸筒１０の後端開口部に嵌め合わせられている。
【００３１】
また、図中符号５２はボールペン用リフィール２１及びシャープペンシル用リフィール２２を貫挿させて支持する貫挿支持部材である。
【００３２】
次に、上記構成の出没式筆記具Ａについて、その特徴的な作用効果を詳細に説明する。
押子３０（又は開閉操作機能付クリップ４０）は、前方へスライド操作されると上記前進位置で係止部１４に係止され、軸筒１０前端から筆記部２１ａ（又は２２ａ）を突出した状態を維持する。
この係止状態は、前記押子３０（又は開閉操作機能付クリップ４０）が、前方へスライド操作された他の押子３０（又は開閉操作機能付クリップ４０）に干渉されることで、解除される。
【００３３】
係止状態が解除された押子３０（又は開閉操作機能付クリップ４０）は、付勢部材５１の付勢力によって後方へスライドし、その最後端部の突起３１ｂ（又は４１ａ）を、被当接部材６０における環状部材６１の前端面に当接させる。
この際の当接音は、耳障りに感じることの少ない重厚な低音、詳細には比較的周波数の低い音質となる。
この音質は、その当接する部材が合成樹脂材料で且つ比較的断面積の小さい突起３１ｂ（４１ａ）と真鍮材である環状部材６１であることに起因している。
更に、本実施の形態の好ましい一例では、被当接部材６０が後方へ底部を向けた筒状であって且つ軸筒１０の後端部を密閉していることにより、その密閉空間に前記当接音が閉じ込めるようにして、その音質をより重厚感のあるものにしている。
【００３４】
更に、本実施の形態の好ましい一例によれば、弾性体である消しゴム５３が、前記当接音及び当接時の振動を緩和する作用効果も奏している。
【００３５】
更に、本実施の形態の好ましい一例によれば、ボールペン用リフィール２１の付勢部材５１ａに中間座巻部５１ａ２を有するため、中間座巻部５１ａ２の振幅により、押子３０が被当接部材６０に当接した際の音を、比較的低音で若干余韻の残る重厚な音とすることができる。
なお、図示例によれば、シャープペンシル用リフィール２２側の付勢部材５１ｂは、中間座巻部のないスプリングとしているが、このシャープペンシル用リフィール２２側においても、前記付勢部材５１ａと同様の作用を得るために中間座巻部を設けてもよい。
【００３６】
また、図示例によれば、環状部材６１と筒部６２ａと底部６２ｂを別体に構成しているが、他例としては、環状部材６１と筒部６２ａ、あるいは筒部６２ａと底部６２ｂとを同一の真鍮材料により一体に構成することも可能である。更に、環状部材６１、筒部６２ａ、底部６２ｂの三つの部材を、同一の真鍮材料により一体に構成することも可能である。
【００３７】
また、上記実施の形態によれば、環状部材６１及び筒部６２ａは、その全面に上記当接音に影響しない程度の厚みの塗装を施しているが、他例としては、押子３０との当接面のみ前記塗装を省いて金属材料面を露出させたり、あるいは全面の塗装を省いて金属材料面を露出させるようにしてもよい。更に他例としては、前記塗装に適度な制振作用のある塗料を用いることで、上記当接音を一層好ましい音質にすることも可能である。
【００３８】
また、上記実施の形態によれば、特に好ましい一例として被当接部材６０の周壁部分の略全域を金属材料によって形成したが、他例としては、環状部材６１のみを金属材料によって形成した態様や、環状部材６１における当接面側の部分のみを金属材料によって形成した態様等とすることも可能である。
【００３９】
また、上記実施の形態によれば、押子３０後端の突起３１ｂを被当接部材６０に対し当接可能にするとともに、クリップ支持体４１後端の突起４１ａも被当接部材６０に対し当接可能な構成としたが、他例としては、図５に示す出没式筆記具Ｂのように、押子３０後端の突起３１ｂのみを被当接部材６０に対し当接させるようにしてもよい。
より詳細に説明すれば、出没式筆記具Ｂにおける開閉操作機能付クリップ４０’のクリップ支持体４１’は、上述したクリップ支持体４１から突起４１ａを省くとともに、後端側の凹部４１ｂを軸筒１０内後端側の凸部１５（合成樹脂部分）に当接させるようにしている。
すなわち、開閉操作機能付クリップ４０’の場合は、押子３０よりも重量が大きく且つ金属製のクリップ部４４を具備した構成であるため、金属製の被当接部材６０に当接させる構造としなくても比較的重厚感のある当接音を得ることができる。
【００４０】
次に、上記構成の出没式筆記具について、押子３０の後退音を測定した実験の結果について説明する。
（実施例）
この実験に用いた実施例は、上記構成の出没式筆記具Ｂである。
この出没式筆記具Ｂにおいて、押子３０を後方へ付勢する付勢部材５１ａは、例えば図４（ａ）に示すもののように、中間座巻部５１ａ２を有するコイルスプリングである。筆記部２１ａが没入状態にある際に、前記コイルスプリング（付勢部材５１ａ）のセット荷重は、約８．９ｇである。
【００４１】
（比較例）
この実験に用いた比較例は、図９に示すように、合成樹脂製の押子１３０の前端側部分を、合成樹脂製の軸筒１１０の周壁に当接するように構成してある。図９中の符号ｘで示す箇所が、押子１３０と軸筒１１０の当接箇所である。なお、押子１３０の後端側には当接箇所がない。
この比較例において押子１３０を後方へ付勢する付勢部材１５１ａは、例えば図４（ａ）に示すもののように、中間座巻部を有するコイルスプリングである。筆記部２１ａが没入状態にある際に、前記コイルスプリング（付勢部材１５１ａ）のセット荷重は、約２４ｇである。
【００４２】
（実験方法）
前進位置にある押子３０（又は１３０）の係止状態を、開閉操作機能付クリップ４０のノック操作（シャープペンシルを突出させる操作）により解除し、その解除操作の直前から押子３０（又は１３０）が後退した直後までの間、音圧レベルの変化波形を記録する。被試験品（実施例又は比較例）とマイクの距離は３０ｃｍとした（図６参照）。
マイク、測定器、及び実験場所等は、以下の通りである。
マイク：ブリュエル・ケアー社製Ｔｙｐｅ４１９０
プリアンプ：ブリュエル・ケアー社製Ｔｙｐｅ２６６９
音響分析装置：ブリュエル・ケアー社製Ｔｙｐｅ３５６０Ｂ
実験場所：無響室内
【００４３】
（実験結果）
実施例（本願発明品）については、図７に示す音圧レベルの波形が得られた。この波形において、比較的大きな最初の山ｐ１は、開閉操作機能付クリップ４０の前方へのスライドにより生じた音と考えられる。
比較的大きな２番目の山ｐ２は、押子３０の後端が被当接部材６０に当接した際の音と考えられる。
比較的大きな３番目以降の山ｐ２〜ｐ７は、被当接部材６０に当接した押子３０が跳ね返って再度当接した際の音と考えられ、複数回繰り返されたものと考えられる。
最初の当接による山ｐ２から最後の当接による山ｐ７までの時間は、２０msec以上であった。
聴覚的には、当接音全体が比較的長く余韻のある音として聞こえた。
【００４４】
比較例については、図８に示す音圧レベルの波形が得られた。この波形において、比較的大きな最初の山ｐ１’は、開閉操作機能付クリップ（図示せず）の前方へのスライドにより生じた音と考えられる。
比較的大きな２番目の山ｐ２’は、押子１３０の前端側が軸筒１１０の周壁の当接箇所ｘに当接した際の音と考えられる。
比較的大きな３番目以降の山ｐ３’〜ｐ４’は、当接箇所ｘにおいて押子３０が跳ね返って再度当接した際の音と考えられ、複数回繰り返されたものと考えられる。
最初の当接による山ｐ２’から最後の当接による山ｐ４’までの時間は、２０msec以下であり、当接回数が実施例の場合よりも少なかった。
聴覚的には、当接音全体が比較的短かく鋭い音として聞こえた。
【００４５】
実施例の場合、最初の当接による山ｐ２から最後の当接による山ｐ７までの時間が２０msec以上と長いため、最初の当接音によりその後の当接音がマスキングされる作用が小さくなる。よって、当接音全体が比較的長く余韻のある音として聞こえたものと考えられる。（前記マスキングについては、例えば「E.ツヴィッカー著，山田由紀子訳，「心理音響学」，西村書店，1992年発行」に説明されている。）
【００４６】
比較例の場合、最初の当接による山ｐ２’から最後の当接による山ｐ４’までの時間が２０msec以下と短いため、最初の当接音によりその後の当接音がマスキングされる作用が強くなる。よって、当接音全体が比較的短かく鋭い音として聞こえたものと考えられる。
【００４７】
実施例において、跳ね返り回数が多く、最初の当接による山ｐ２から最後の当接による山ｐ７までの時間が２０msec以上と長くなったのは、被当接部材６０の環状部材６１が比較的硬度の高い金属材料であることに起因するものと考えられる。
なお、上記実験では、実施例と比較例の双方で中間座巻部を有するコイルスプリング（図４（ａ）参照）を用いたが、仮に、実施例として中間座巻部を有するコイルスプリング（図４（ａ）参照）を用いるとともに比較例として中間座巻部を有さないコイルスプリング（図４（ｂ）参照）を用いた場合には、前述した最初の当接による山から最後の当接による山までの時間は、中間座巻部を有するコイルスプリングを用いた実施例の方が、一層顕著に長くなるものと予想できる。
【図面の簡単な説明】
【００４８】
【図１】本発明に係わる出没式筆記具の一例を示す断面図であり、中間部を省略して示している。
【図２】同出没式筆記具の要部拡大断面図である。
【図３】被当接部材６０の分解斜視図である。
【図４】（ａ）及び（ｂ）にそれぞれ付勢部材の一例を示す正面図である。
【図５】本発明に係わる出没式筆記具の他例を示す要部拡大断面図である。
【図６】作動音測定試験の状況を示す概略図である。
【図７】実施例について、押子が後退した際の作動音の音圧レベルの時間的変化を示すグラフである。
【図８】比較例について、押子が後退した際の作動音の音圧レベルの時間的変化を示すグラフである。
【図９】比較例の要部正面図である。
【符号の説明】
【００４９】
１０：軸筒                              ２１ａ，２２ａ：筆記部
３０：押子                              ３１ｂ：突起
４０：開閉操作機能付クリップ（押子）    ４１：クリップ支持体
４１ａ：突起                            ５１：付勢部材
６０：被当接部材                        ６１：環状部材
６２：有底筒状部                        Ａ：出没式筆記具
【図１】
0005232626.tif 000002
【図２】
0005232626.tif 000003
【図３】
0005232626.tif 000004
【図４】
0005232626.tif 000005
【図５】
0005232626.tif 000006
【図６】
0005232626.tif 000007
【図７】
0005232626.tif 000008
【図８】
0005232626.tif 000009
【図９】
0005232626.tif 000010